(57)【要約】【課題】簡単な構造をもつとともに、精度良く長尺状のプリント物を製造するプリンタ装置を提供する。【解決手段】プリンタ装置１０は印刷用紙供給兼巻取部１１と、印刷ユニット１５Ａと、追加印刷用紙供給部２５とを備える。印刷用紙供給兼巻取部１１と印刷ユニット１５Ａは筐体１０Ａ内に配置される。筐体１０Ａと別体に設けられた追加筐体２５Ａ内の追加供給機構２６から印刷用紙３００が供給され、印刷ユニット１５Ａで印刷されて得られた長尺状プリント物３００は、筐体１０Ａ内の印刷用紙供給兼巻取部１１に巻き取られる。【選択図】図１
2020147008.tif 000002
【特許請求の範囲】
【請求項１】
筐体と、
前記筐体内に設けられ、長尺状の印刷用紙について供給および巻取が可能な印刷用紙供給兼巻取部と、
前記印刷用紙供給兼巻取部に対して前記印刷用紙を供給する追加印刷用紙供給部と、
前記筐体内に設けられ、前記追加印刷用紙供給部から前記印刷用紙供給兼巻取部に送られる前記印刷用紙に対して印刷を施す印刷ユニットと、
前記印刷用紙供給兼巻取部と、前記追加印刷用紙供給部と、前記印刷ユニットを制御する制御部とを備え、
前記制御部は前記追加印刷用紙供給部から前記印刷用紙を前記印刷用紙供給兼巻取部へ送るとともに、前記印刷ユニットを作動させて前記印刷用紙に印刷を施す、プリンタ装置。
【請求項２】
前記追加印刷用紙供給部は、追加筐体と、追加筐体内に設けられた追加供給機構とを有し、前記筐体の外方に配置される、請求項１記載のプリンタ装置。
【請求項３】
前記追加筐体は、前記筐体の側方に配置される、請求項２記載のプリンタ装置。
【請求項４】
前記追加筐体は前記筐体の上部に配置される、請求項２記載のプリンタ装置。
【請求項５】
筐体と、
前記筐体内に設けられ、長尺状の印刷用紙を供給する印刷用紙供給部と、
前記筐体内に設けられ、前記印刷用紙供給からの前記印刷用紙を巻き取る印刷用紙巻取部と、
前記筐体内に設けられ、前記印刷用紙供給部から前記印刷用紙巻取部に送られる前記印刷用紙に対して印刷を施す印刷ユニットと、
前記印刷用紙供給部と、前記印刷用紙巻取部と、前記印刷ユニットを制御する制御部とを備え、
前記制御部は前記印刷用紙供給部から前記印刷用紙を前記印刷用紙巻取部へ送るとともに、前記印刷ユニットを作動させて前記印刷用紙に印刷を施す、プリンタ装置。
【請求項６】
筐体と、
前記筐体内に設けられ、長尺状の印刷用紙について供給および巻取が可能な印刷用紙供給兼巻取部と、
前記印刷用紙供給兼巻取部に対して前記印刷用紙を供給する追加印刷用紙供給部と、
前記筐体内に設けられ、前記追加印刷用紙供給部から前記印刷用紙供給兼巻取部に送られる前記印刷用紙に対して印刷を施す印刷ユニットと、を備えたプリンタ装置による長尺状プリント物の製造方法において、
前記追加印刷用紙供給部から前記印刷用紙を前記印刷用紙供給兼巻取部へ送る工程と、
前記印刷ユニットを作動させて前記印刷用紙に印刷を施す工程とを備えた、長尺状プリント物の製造方法。
【発明の詳細な説明】
【技術分野】
【０００１】
本開示は、プリンタ装置および長尺状プリント物の製造方法に係り、とりわけ簡単な構造により長尺状プリント物を製造することができるプリンタ装置および長尺状プリント物の製造方法に関する。
【背景技術】
【０００２】
従来から使用されるプリンタ装置では、印刷用紙に印刷を施し、その後にこの印刷済の印刷用紙をプリント１枚分ずつカッタにより切断して写真プリントを作製している。
【０００３】
他方、一段消費者のための写真プリントを作製するだけではなく、加飾フィルム等の中間転写媒体を作製するためにプリンタ装置を用いる場合がある。プリンタ装置により得られる中間転写媒体は長尺状プリント物からなり、プリンタ装置の出口側に長尺状プリント物を巻き取る巻取機構が設置される。しかしながらプリンタ装置の出口側にプリント物の巻取機構を設置する場合、長尺状プリント物に傷を付けたり折り目を付けたりしないようプリント物の状態を監視したり、プリント物に張力を付与する装置が必要となり、プリント物の巻取機構が複雑化してしまう。
【先行技術文献】
【特許文献】
【０００４】
【特許文献１】特表２００７−５１０５６２号公報
【発明の概要】
【発明が解決しようとする課題】
【０００５】
上述した特許文献１では、連続した長尺状の画像の熱転写方式での長尺状プリント物の印刷方法について言及されているが、長尺状プリント物が極めて長くなった場合のプリント物の巻き取りなどの対応方法までは言及されていない。例えば、出力された長尺状プリント物に対して適切に対応する装置がなければプリント物に折り目や傷をつけてしまい、その価値が減じられてしまう。このような問題を解決するため、巻き取り装置を設けて対応することは可能である。しかしながら、このような巻き取り装置は、印刷時に印画品質に影響を与えないように巻き取り装置とプリント部との間にたるみを常に形成し、その状態を維持や監視する装置、および巻き上げるためにプリント物に張力を付与する装置を含む複雑な巻取機構を有する必要がある。さらに、この巻き取り装置において、印刷用紙の詰まりや破断などの問題発生を感知するための装置や、これらを解除するための機構などを設けることも必要になる。ここで長尺状プリント物とは、ある程度長い写真プリント画像だけではなく、前述の加飾フィルム等の中間転写媒体などのようにロール紙１本分のような極めて長いプリント物も含むが、このような極めて長いプリント物を巻き取る際の対応方法については、未だ開発されていないのが実情である。
【０００６】
本開示はこのような点を考慮してなされたものであり、簡単な構造をもって精度良く長尺状プリント物を製造することができるプリンタ装置および長尺状プリント物の製造方法を提供することを目的とする。
【課題を解決するための手段】
【０００７】
本開示は、筐体と、前記筐体内に設けられ、長尺状の印刷用紙について供給および巻取が可能な印刷用紙供給兼巻取部と、前記印刷用紙供給兼巻取部に対して前記印刷用紙を供給する追加印刷用紙供給部と、前記筐体内に設けられ、前記追加印刷用紙供給部から前記印刷用紙供給兼巻取部に送られる前記印刷用紙に対して印刷を施す印刷ユニットと、前記印刷用紙供給兼巻取部と、前記追加印刷用紙供給部と、前記印刷ユニットを制御する制御部とを備え、前記制御部は前記追加印刷用紙供給部から前記印刷用紙を前記印刷用紙供給兼巻取部へ送るとともに、前記印刷ユニットを作動させて前記印刷用紙に印刷を施す、プリンタ装置である。
【０００８】
本開示は、前記追加印刷用紙供給部は、追加筐体と、追加筐体内に設けられた追加供給機構とを有し、前記筐体の外方に配置される、プリンタ装置である。
【０００９】
本開示は、前記追加筐体は、前記筐体の側方に配置される、プリンタ装置である。
【００１０】
本開示は、前記追加筐体前記筐体の上部に配置される、プリンタ装置である。
【００１１】
本開示は、筐体と、前記筐体内に設けられ、長尺状の印刷用紙を供給する印刷用紙供給部と、前記筐体内に設けられ、前記印刷用紙供給部からの前記印刷用紙を巻き取る印刷用紙巻取部と、前記筐体内に設けられ、前記印刷用紙供給部から前記印刷用紙巻取部に送られる前記印刷用紙に対して印刷を施す印刷ユニットと、前記印刷用紙供給部と、前記印刷用紙巻取部と、前記印刷ユニットを制御する制御部とを備え、前記制御部は前記印刷用紙供給部から前記印刷用紙を前記印刷用紙巻取部へ送るとともに、前記印刷ユニットを作動させて前記印刷用紙に印刷を施す、プリンタ装置である。
【００１２】
本開示は、筐体と、前記筐体内に設けられ、長尺状の印刷用紙について供給および巻取が可能な印刷用紙供給兼巻取部と、前記印刷用紙供給兼巻取部に対して前記印刷用紙を供給する追加印刷用紙供給部と、前記筐体内に設けられ、前記追加印刷用紙供給部から前記印刷用紙供給兼巻取部に送られる前記印刷用紙に対して印刷を施す印刷ユニットと、を備えたプリンタ装置による長尺状プリント物の製造方法において、前記追加印刷用紙供給部から前記印刷用紙を前記印刷用紙供給兼巻取部へ送る工程と、前記印刷ユニットを作動させて前記印刷用紙に印刷を施す工程とを備えた、長尺状プリント物の製造方法である。
【発明の効果】
【００１３】
本開示によれば、簡単な構造をもつとともに精度良く長尺状プリント物を製造することができる。
【図面の簡単な説明】
【００１４】
【図１】図１は第１の実施の形態によるプリンタ装置を示す概略図。
【図２】図２は第２の実施の形態によるプリンタ装置を示す概略図。
【図３】図３は第３の実施の形態によるプリンタ装置を示す概略図。
【図４】図４は第４の実施の形態によるプリンタ装置を示す概略図。
【図５Ａ】図５Ａは長尺状プリント物の製造方法を示す図。
【図５Ｂ】図５Ｂは長尺用プリント物の製造方法を示す図。
【図５Ｃ】図５Ｃは長尺用プリント物の製造方法を示す図。
【図５Ｄ】図５Ｄは長尺用プリント物の製造方法を示す図。
【発明を実施するための形態】
【００１５】
＜第１の実施の形態＞
以下、図面を参照して本開示の第１の実施の形態について説明する。
【００１６】
まず図５Ａ乃至図５Ｄにより、本実施の形態によるプリンタ装置により製造される長尺状プリント物３００、および長尺状プリント物の製造方法について述べる、
この場合、長尺状プリント物３００としては、加飾フィルム等の中間転写媒体を挙げることができる。
【００１７】
ここで図５Ａはプリンタ装置により製造される長尺状プリント物を示す図、図５Ｂは長尺状プリント物の転写シートを離型部材から剥離する工程を示す図、図５Ｃおよび図５Ｄは転写シートを被転写体に転写する工程を示す図である。
【００１８】
図５Ａに示すように、長尺状プリント物３００は、離型部材一体型の中間転写媒体からなる。
【００１９】
このような離型部材一体型の中間転写媒体からなる長尺状プリント物３００は、ポリエチレンテレフタレート（ＰＥＴ）層からなる第１の支持体１１０と、受容層からなる転写層１２０とを含む転写シート１００と、ポリエチレンテレフタレート（ＰＥＴ）層からなる第２の支持体２１０と、第２の支持体２１０に接着層２２０ａを介して接着された剥離層２２ｂとを含む離型部材２００とを備え、後述する本実施の形態によるプリンタ装置１０により転写層１２０上に画像５０が形成される。
【００２０】
プリンタ装置１０による画像形成方法について特に限定はなく、プリンタ装置１０が有する画像形成方式に応じて適宜決定すればよい。プリンタ装置１０による画像形成方式としては、例えば、昇華型熱転写方式を挙げることができる。
【００２１】
上述のように、プリンタ装置１０により作成された長尺状プリント物３００は、図５Ｂに示すように画像５０を含む転写シート１００と離型部材２００とに分離される。なお、長尺状プリント物３００において第１の支持体１１０と剥離層２２０ｂとの間の接着力は、第２の支持体２１０と剥離層２２０ｂとの間の接着力よりも小さく、これにより、転写シート１００を、離型部材２００から容易に分離可能となっている。
【００２２】
その後図５Ｃに示すように、長尺状プリント物３００のうち、離型部材２００から分離された転写シート１００が被転写体４００と、画像５０が形成された転写層１２０と被転写体４００とが対向するように重ね合わされ、被転写体４００上に転写層１２０が転写される。次に、転写シート１００の第１の支持体１１０が転写層１２０から取り除されて、被転写体４００上に画像５０を含む、転写層１２０が転写されてなる印画物５００が得られる。
【００２３】
なお、中間媒体からなる長尺状プリント物３００の構成は、図５Ａ乃至図５Ｄに示すものに限られることはなく、例えば、第１の支持体１１０と第２の支持体２１０とを剥離することが可能であれば、第１の支持体１１０と第２の支持体２１０との間の界面の構造は特に限定されない。また第１の支持体１１０と第２の支持体２１０とを剥離することが可能であれば、第１の支持体１１０と第２の支持体２１０との間から、接着層２２０ａと剥離層２２０ｂとを取り除いてもよい。また、転写シート１００のみで十分にプリンタ装置１０により印刷を実施することができれば、必ずしも離型部材２００を設けることなく、転写シート１００のみで長尺状プリント物３００を構成することもできる。
【００２４】
上述した構成をもつ長尺状プリント物３００は、図１に示すプリンタ装置１０により作製される。すなわちプリンタ装置１０は、図１に示すように筐体１０Ａと、長尺状の印刷用紙３００の供給および巻取が可能な印刷用紙供給兼巻取部１１と、印刷用紙供給兼巻取部１１に対して印刷用紙３００を供給する追加印刷用紙供給部２５と、追加印刷用紙供給部２５から印刷用紙供給兼巻取部１１に送られる印刷用紙３００に対して印刷を施す印刷ユニット１５Ａと、印刷用紙供給兼巻取部１１と、追加印刷用紙供給部２５と、印刷ユニット１５Ａを制御する制御部３０とを備えている。
【００２５】
このうち印刷用紙供給兼巻取部１１は筐体１０Ａ内に設けられた既存の部材であって、印刷用紙３００を供給する、あるいは巻き取ることが可能となっており、印刷ユニット１５Ａに対して印刷用紙３００を供給することも可能であり、かつ印刷ユニット１５Ａにより印刷済の印刷用紙３００を巻き取ることも可能となる。この場合、印刷ユニット１５Ａにより印刷された印刷済の印刷用紙３００は、長尺状のプリント物３００となる。
【００２６】
また、印刷用紙供給兼巻取部１１は筐体１０Ａ内に配置され、かつ印刷ユニット１５Ａも筐体１０Ａ内に配置されている。
【００２７】
さらにまた、追加印刷用紙供給部２５は筐体１０Ａと別体の追加筐体２５Ａと、この追加筐体２５Ａ内に設置され、印刷用紙供給兼巻取部１１に対して長尺状の印刷用紙３００を供給する追加供給機構２６とを有する。
【００２８】
本実施の形態において、追加筐体２５Ａは筐体１０Ａの側方に配置され、かつ追加筐体２５Ａと筐体１０Ａは連結機構２７を介して互いに連結されている。
【００２９】
また印刷ユニット１５Ａと印刷用紙供給兼巻取部１１との間には、印刷用紙３００を、印刷の際に正確に紙送りするグリップローラ１２ａと、これと相対するピンチローラ１２ｂが設けられ、またこれら一対のローラ１２ａ，１２ｂの下流側に印刷用紙３００を搬送方向Ｌ１に搬送する一対の案内ローラ１３ａ，１３ｂが設けられている。
【００３０】
また印刷ユニット１５Ａはインクリボン２０を用いて印刷用紙３００に印刷を施すサーマルヘッド１５と、サーマルヘッド１５に対向に設けられたプラテンローラ１６とを備えている。
【００３１】
また印刷ユニット１５Ａは、インクリボン２０を搬送方向Ｌ２に供給するインクリボン供給部２１と、インクリボン２０を巻取るインクリボン巻取部２２とを備えている。
【００３２】
このうちインクリボン２０は、一方の面に配置されたインク層と、他方の面に配置された支持層とを有している。
【００３３】
次にこのような構成からなる本実施の形態の作用について説明する。
【００３４】
まず追加印刷用紙供給部２５の追加供給機構２６に、ロール状に巻かれた長尺状の印刷用紙３００が設置される。
【００３５】
この場合、追加供給機構２６に設置された印刷用紙３００は、画像５０が形成される前の印刷用紙であって、第１の支持体１１０と転写層１２０とを有する転写シート１００と、第２の支持体２１０と第２の支持体２１０に接着層２２０ａを介して接着された剥離層２２０ｂとを有する（図５Ａ参照）。しかしながら、上述のように、印刷用紙３００をしては、第１の支持体１１０と転写層１２０とを有する転写シート１００と、第２の支持体２１０からなる離型部材２００とを有する構造のものを用いてもよく、印刷用紙３００としては離型部材２００を含まない第１の支持体１１０と転写層１２０とを有する転写シート１００のみを有する構造のものを用いてもよい。
【００３６】
次に追加印刷用紙供給部２５から印刷用紙３００が巻き出される。次に追加印刷用紙供給部２５から巻き出された印刷用紙３００の先端部を印刷用紙供給兼巻取部１１に固着させる。
【００３７】
その後制御部３０が、追加印刷用紙供給部２５と、印刷用紙供給兼巻取部１１と、印刷ユニット１５Ａとを制御して、追加印刷用紙供給部２５から印刷用紙３００を印刷ユニット１５Ａ側へ供給する。
【００３８】
次に印刷ユニット１５Ａにおいて、印刷用紙３００に対して昇華型熱転写方式により印刷が施され、印刷用紙３００の転写層１２０に画像５０を印刷する。
【００３９】
このようにして画像５０が印刷された長尺状の印刷用紙３００からなる長尺状プリント物３００が得られ、この長尺状プリント物３００は印刷用紙供給兼巻取部１１により巻き取られる。
【００４０】
本実施の形態によれば、長尺状の印刷用紙に対して印刷ユニット１５Ａにおいて印刷を施すことにより、長尺状プリント物３００を得ることができる。この場合、印刷ユニット１５Ａにおいて印刷されて得られた長尺状プリント物３００は、プリンタ装置１０内に設けられた既存の印刷用紙供給兼巻取部１１により巻き取られる。このため印刷ユニット１５Ａにおいて印刷されて得られた長尺状プリント物３００を巻き取るために、筐体１０Ａの外方に、プリンタ装置が印刷動作時にプリント品質に悪影響を与えないようプリント物にたるみがあるような状態を維持管理する装置、あるいは長尺プリント物を巻き上げるためにプリント物に張力を付与する装置を含む複雑な巻取機構を設ける必要はない。また、筐体１０Ａの外方に、印刷用紙の詰まりや破断などの問題発生を感知するための装置や、これらを解除するための機構などを一切設ける必要はなく、簡単な構造もつプリンタ装置１０により長尺状プリント物３００を精度良く作成することができる。
【００４１】
＜第２の実施の形態＞
次に図２により本開示の第２の実施の形態について説明する。
図２に示す第２の実施の形態において、図１に示す第１の実施の形態と図１部分については、同一符号を付して詳細な説明は省略する。
【００４２】
プリンタ装置１０は、図２に示すように筐体１０Ａと、長尺状の印刷用紙３００の供給および巻取が可能な印刷用紙供給兼巻取部１１と、印刷用紙供給兼巻取部１１に対して印刷用紙３００を供給する追加印刷用紙供給部２５と、追加印刷用紙供給部２５から印刷用紙供給兼巻取部１１に送られる印刷用紙３００に対して印刷を施す印刷ユニット１５Ａと、印刷用紙供給兼巻取部１１と、追加印刷用紙供給部２５と、印刷ユニット１５Ａを制御する制御部３０を備えている。
【００４３】
このうち印刷用紙供給兼巻取部１１は、筐体１０Ａ内に設けられた既存の部材であって、印刷用紙３００を供給し、あるいは巻き取ることが可能となっており、印刷ユニット１５Ａに対して印刷用紙３００を供給することも可能であり、かつ印刷ユニット１５Ａにより印刷済の印刷用紙３００を巻き取ることも可能となる、この場合、印刷ユニット１５Ａにより印刷された印刷済の印刷用紙３００は、長状状のプリント物３００となる。
【００４４】
また、印刷用紙供給兼巻取部１１は筐体１０Ａ内に配置され、かつ印刷ユニット１５Ａも筐体１０Ａ内に配置されている。
【００４５】
さらにまた、追加印刷用紙供給部２５は筐体１０Ａと別体の追加筐体２５Ａと、この追加筐体２５Ａ内に設置され、印刷用紙供給兼巻取部１１に対して長尺状の印刷用紙３００を供給する追加供給機構２６とを有する。
【００４６】
本実施の形態において、追加筐体２５Ａは筐体１０Ａの上方に配置され、かつ追加筐体２５Ａと筐体１０Ａは連結機構２７を介して互いに連結されている。
【００４７】
次にこのような構成からなる本実施の形態の作用について説明する。
【００４８】
まず、追加印刷用紙供給部２５の追加供給機構２６にロール状に巻かれた長尺状の印刷用紙３００が設置される。
【００４９】
この場合、追加供給機構２６に設置された印刷用紙３００は、画像５０が形成される前の印刷用紙であって、第１の支持体１１０と転写層１２０とを有する転写シート１００と、第２の支持体２１０と第２の支持体２１０に接着層２２０ａを介して接着された剥離層２２０ｂとを有する（図５Ａ参照）。しかしながら、上述のように、印刷用紙３００をしては、第１の支持体１１０と転写層１２０とを有する転写シート１００と、第２の支持体２１０からなる離型部材２００とを有する構造のものを用いてもよく、印刷用紙３００としては離型部材２００を含まない第１の支持体１１０と転写層１２０とを有する転写シート１００のみを有する構造のものを用いてもよい。
【００５０】
次に追加印刷用紙供給部２５から印刷用紙３００が巻き出される。次に、追加印刷用紙供給部２５から巻き出された印刷用紙３００の先端部を印刷用紙供給兼巻取部１１に固着させる。
【００５１】
その後制御部３０は、追加印刷用紙供給部２５と、印刷用紙供給兼巻取部１１と、印刷ユニット１５Ａとを制御して、追加印刷用紙供給部２５から印刷用紙３００を印刷ユニット１５Ａ側へ供給する。
【００５２】
次に印刷ユニット１５Ａにおいて、印刷用紙３００に対して昇華型熱転写方式により印刷が施され、印刷用紙３００の転写層１２０に画像５０を印刷する。
【００５３】
このようにして画像５０が印刷された長尺状の印刷用紙３００からなる長尺状プリント物３００が得られ、この長尺状プリント物３００は印刷用紙供給兼巻取部１１により巻き取られる。
【００５４】
本実施の形態によれば、長尺状の印刷用紙に対して印刷ユニット１５Ａにおいて印刷を施すことにより、長尺状プリント物３００を得ることができる。この場合、印刷ユニット１５Ａにおいて印刷されて得られた長尺状プリント物３００は、プリンタ装置１０内に設けられた既存の印刷用紙供給兼巻取部１１により巻き取られる。このため印刷ユニット１５Ａにおいて印刷されて得られた長尺状プリント物３００を巻き取るために、筐体１０Ａの外方に、プリンタ装置１０が印刷動作時にプリント品質に悪影響を与えないようプリント物にたるみがあるような状態を維持管理する装置、あるいは長尺プリント物を巻き上げるためにプリント物に張力を付与する装置を含む複雑な巻取機構を設ける必要はない。また、筐体１０Ａの外方に、印刷用紙の詰まりや破断などの問題発生を感知するための装置や、これらを解除するための機構などを一切設ける必要はなく、簡単な構造もつプリンタ装置１０により 長尺状プリント物３００を精度良く作成することができる。
【００５５】
＜第３の実施の形態＞
次に図３により本開示の第３の実施の形態について説明する。
【００５６】
図３に示す第３の実施の形態において、図１に示す第１の実施の形態と同一部分については、同一符号を付して詳細な説明は省略する。
【００５７】
プリンタ装置１０は、筐体１０Ａと、長尺状の印刷用紙３００の供給および巻取が可能な印刷用紙供給兼巻取部１１と、印刷用紙供給兼巻取部１１に対して印刷用紙３００を供給する追加印刷用紙供給部２５と、追加印刷用紙供給部２５から印刷用紙供給兼巻取部１１に送られる印刷用紙３００に対して印刷を施す印刷ユニット１５Ａと、印刷用紙供給兼巻取部１１と、追加印刷用紙供給部２５と、印刷ユニット１５Ａを制御する制御部３０とを備えている。
【００５８】
このうち印刷用紙供給兼巻取部１１は筐体１０Ａ内に設けられた既存の部材であって、印刷用紙３００を供給し、あるいは巻き取ることが可能となっており、印刷ユニット１５Ａに対して印刷用紙３００を供給することも可能であり、かつ印刷ユニット１５Ａにより印刷済の印刷用紙３００を巻き取ることも可能となる。この場合、印刷ユニット１５Ａにより印刷された印刷済の印刷用紙３００は、長尺状のプリント物３００となる。
【００５９】
また、印刷用紙供給兼巻取部１１は筐体１０Ａ内の中央部に配置され、かつ印刷ユニット１５Ａは筐体１０Ａ内の印刷用紙供給兼巻取部１１の右側に配置されている。
さらにまた、追加印刷用紙供給部２５は筐体１０Ａ内の左方部に配置され、印刷用紙供給兼巻取部１１に対して長尺状の印刷用紙３００を供給する追加供給機構２６を有する。
【００６０】
次にこのような構成からなる本実施の形態の作用について説明する。
【００６１】
まず追加印刷用紙供給部２５の追加供給機構２６にロール状に巻かれた長尺状の印刷用紙３００が設置される。
【００６２】
この場合、追加供給機構２６に設置された印刷用紙３００は、画像５０が形成される前の印刷用紙であって、第１の支持体１１０と転写層１２０とを有する転写シート１００と、第２の支持体２１０と第２の支持体２１０に接着層２２０ａを介して接着された剥離層２２０ｂとを有する（図５Ａ参照）。しかしながら、上述のように、印刷用紙３００をしては、第１の支持体１１０と転写層１２０とを有する転写シート１００と、第２の支持体２１０からなる離型部材２００とを有する構造のものを用いてもよく、印刷用紙３００としては離型部材２００を含まない第１の支持体１１０と転写層１２０とを有する転写シート１００のみを有する構造のものを用いてもよい。
【００６３】
次に追加印刷用紙供給部２５から印刷用紙３００が巻き出される。次に、追加印刷用紙供給部２５から巻き出された印刷用紙３００の先端部を印刷用紙供給兼巻取部１１に固着させる。
その後制御部３０が、追加印刷用紙供給部２５と、印刷用紙供給兼巻取部１１と、印刷ユニット１５Ａとを制御して、追加印刷用紙供給部２５から印刷用紙３００を印刷ユニット１５Ａ側へ供給する。
【００６４】
次に印刷ユニット１５Ａにおいて、印刷用紙３００に対して昇華型熱転写方式により印刷が施され、印刷用紙３００の転写層１２０に画像５０を印刷する。
【００６５】
このようにして画像５０が印刷された長尺状の印刷用紙３００からなる長尺状プリント物３００が得られ、この長尺状プリント物３００は印刷用紙供給兼巻取部１１により巻き取られる。
【００６６】
本実施の形態によれば、長尺状の印刷用紙に対して印刷ユニット１５Ａにおいて印刷を施すことにより、長尺状プリント物３００を得ることができる。この場合、印刷ユニット１５Ａにおいて印刷されて得られた長尺状プリント物３００は、プリンタ装置１０内に設けられた既存の印刷用紙供給兼巻取部１１により巻き取られる。このため印刷ユニット１５Ａにおいて印刷されて得られた長尺状プリント物３００を巻き取るために、筐体１０Ａの外方に、プリンタ装置１０が印刷動作時にプリント品質に悪影響を与えないようプリント物にたるみがあるような状態を維持管理する装置、あるいは長尺プリント物を巻き上げるためにプリント物に張力を付与する装置を含む複雑な巻取機構を設ける必要はない。また、筐体１０Ａの外方に、印刷用紙の詰まりや破断などの問題発生を感知するための装置や、これらを解除するための機構などを一切設ける必要はなく、簡単な構造もつプリンタ装置１０により 長尺状プリント物３００を精度良く作成することができる。
【００６７】
＜第４の実施の形態＞
【００６８】
次に図４により本開示の第４の実施の形態について説明する。
【００６９】
図４に示す第４の実施の形態は、筐体１０Ａ内に印刷用紙供給部３１を設けるとともに、この印刷用紙供給部３１から長尺状の印刷用紙３００を矢印Ｌ３方向に搬送し、この印刷用紙３００に対して印刷ユニット１５Ａにより印刷を施した後、印刷済の長尺状プリント物３００を印刷用紙巻取部３２により巻き取るものである。
【００７０】
図４に示す第４の実施の形態において、図１の示す第１の実施の形態と同一部分については、同一符号を付して詳細な説明は省略する。
【００７１】
図４に示すプリンタ装置１０は、筐体１０Ａと、長尺状の印刷用紙３００を供給する印刷用紙供給部３１と、印刷用紙供給部３１から供給される印刷用紙３００を巻き取る印刷用紙巻取部３２と、印刷用紙供給部３１から印刷用紙巻取部３２に送られる印刷用紙３００に対して印刷を施す印刷ユニット１５Ａと、印刷用紙供給部３１と印刷用紙巻取部３２と、印刷ユニット１５Ａを制御する制御部３０とを備えている。
【００７２】
このうち印刷用紙供給兼巻取部１１は、筐体１０Ａ内に設けられた既存の部材であって、印刷用紙３００を供給することが可能となっている。また、印刷用紙巻取部３２は、印刷用紙３００に対して印刷ユニット１５Ａにより印刷された印刷済の印刷用紙３００を巻き取るものである。この場合、印刷ユニット１５Ａにより印刷された印刷済みの印刷用紙３００は、長尺状のプリント物３００となる。
【００７３】
また、印刷用紙供給部３１は筐体１０Ａ内の中央部に配置され、かつ印刷ユニット１５Ａは筐体１０Ａ内の右側に配置されている。
【００７４】
さらにまた、印刷用紙巻取部３２は筐体１０Ａ内の左側に配置されている。
【００７５】
また、印刷用紙供給部３１と印刷ユニット１５Ａとの間には、搬送方向Ｌ３に沿って一対の案内ローラ１３ａ、１３ｂと、一対のローラ１２ａ、１２ｂとがこの順で設けられている。このうち、一対のローラ１２ａ、１２ｂは印刷用紙３００を印刷の際に正確に紙送りするグリップローラ１２ａと、これと相対するピンチローラ１２ｂとからなる。
【００７６】
次にこのような構成からなる本実施の形態の作用について説明する。
【００７７】
図４に示すように、まず印刷用紙供給部３１にロール状に巻かれた長尺状の印刷用紙３００が設置される。
【００７８】
この場合、追加供給機構２６に設置された印刷用紙３００は、画像５０が形成される前の印刷用紙であって、第１の支持体１１０と転写層１２０とを有する転写シート１００と、第２の支持体２１０と第２の支持体２１０に接着層２２０ａを介して接着された剥離層２２０ｂとを有する（図５Ａ参照）。しかしながら、上述のように、印刷用紙３００をしては、第１の支持体１１０と転写層１２０とを有する転写シート１００と、第２の支持体２１０からなる離型部材２００とを有する構造のものを用いてもよく、印刷用紙３００としては離型部材２００を含まない第１の支持体１１０と転写層１２０とを有する転写シート１００のみを有する構造のものを用いてもよい。
【００７９】
その後制御部３０が、印刷用紙供給部３１と、印刷用紙巻取部３２と、印刷ユニット１５Ａとを制御して、印刷用紙供給部３１からの印刷用紙３００を印刷ユニット１５Ａ側へ供給する。
【００８０】
次に印刷ユニット１５Ａにおいて、印刷用紙３００に対して昇華型熱転写方式により印刷が施され、印刷用紙３００の転写層１２０に画像５０を印刷する。
【００８１】
このようにして画像５０が印刷された長尺状の印刷用紙３００からなる長尺状プリント物３００が得られ、この長尺状プリント物３００は印刷用紙巻取部３２により巻き取られる。
【００８２】
本実施の形態によれば、長尺状の印刷用紙に対して印刷ユニット１５Ａにおいて印刷を施すことにより、長尺状プリント物３００を得ることができる。
【００８３】
この場合、印刷ユニット１５Ａにおいて印刷されて得られた長尺状プリント物３００は、プリンタ装置１０内に設けられた印刷用紙巻取部３２により巻き取られる。このため印刷ユニット１５Ａにおいて印刷されて得られた長尺状プリント物３００を巻き取るために、筐体１０Ａの外方に、プリンタ装置１０が印刷動作時にプリント品質に悪影響を与えないようプリント物にたるみがあるような状態を維持管理する装置、あるいは長尺プリント物を巻き上げるためにプリント物に張力を付与する装置を含む複雑な巻取機構を設ける必要はない。また、筐体１０Ａの外方に、印刷用紙の詰まりや破断などの問題発生を感知するための装置や、これらを解除するための機構などを一切設ける必要はなく、簡単な構造もつプリンタ装置１０により 長尺状プリント物３００を精度良く作成することができる。
【００８４】
なお、上記の各実施の形態において、印刷用紙３００に対して印刷ユニット１５Ａで印刷を施すとともに、印刷済の長尺状プリント物３００を印刷用紙供給兼巻取部１１に巻き取る例（第１の実施の形態〜第３の実施の形態）、あるいは印刷済の長尺状プリント物３００を印刷用紙巻取部３２に巻き取る例（第４の実施の形態）を示したが、これに限らず、印刷済の長尺状プリント物３００から離型部材２００を剥離装置（図示せず）により剥離し、離型部材２００を剥離した後の長尺状プリント物３００を印刷用紙供給兼巻取部１１あるいは印刷用紙巻取部３２に巻き取ってもよい。この場合は、剥離装置により剥離された離型部材２００は、図示しない剥離部材巻取部により巻き取られる。
【符号の説明】
【００８５】
１０  プリンタ装置
１０Ａ  筐体
１１  印刷用紙供給兼巻取部
１２ａ，１２ｂ  ローラ
１３ａ，１３ｂ  案内ローラ
１５  サーマルヘッド
１５Ａ  印刷ユニット
１６  プラテンローラ
２０  インクリボン
２５  追加印刷用紙供給部
２５Ａ  追加筐体
２６  追加供給機構
３０  制御部
３１  印刷用紙供給部
３２  印刷用紙巻取部
３００  印刷用紙（長尺状プリント物）
【図１】
2020147008.tif 000003
【図２】
2020147008.tif 000004
【図３】
2020147008.tif 000005
【図４】
2020147008.tif 000006
【図５Ａ】
2020147008.tif 000007
【図５Ｂ】
2020147008.tif 000008
【図５Ｃ】
2020147008.tif 000009
【図５Ｄ】
2020147008.tif 000010